(57)【要約】【課題】用紙への記入中にタグ部が変形することを抑制できる媒体保持シートを提供する。【解決手段】一対の媒体保持シート５Ｌ，５Ｒは、表紙１１０Ｌが面接触して固定される媒体保持シート５Ｌ、および表紙１１０Ｒが固定される媒体保持シート５Ｒである。媒体保持シート５Ｌには、表紙１１０Ｌを位置決めする位置決め部５１Ｌ，５２Ｌが設けられる。媒体保持シート５Ｒには、表紙１１０Ｒを位置決めする位置決め部５１Ｒ，５２Ｒが設けられる。媒体保持シート５Ｒには、位置決めされた表紙１１０Ｒのタグ部１３０を収容可能なタグ収容部５５が設けられる。【選択図】図２
2014113818.tif 000002
【特許請求の範囲】
【請求項１】
一対の表紙と、前記一対の表紙の間に重ね合わせて配置した複数枚の用紙とが、各々の縁部の一部で綴じられた冊子状の記録媒体であり、且つ、前記表紙の一部が外側に突出するタグ部を備えた前記記録媒体を保持可能な媒体保持シートであって、
前記媒体保持シートは、
前記一対の表紙のうちの第一表紙が面接触して固定される固定面を有する板状体である第一保持シート、および前記一対の表紙のうちの第二表紙が面接触して固定される固定面を有する板状体である第二保持シートであって、
前記第一保持シートおよび前記第二保持シートの各々に設けられ、前記固定面に固定される前記表紙を位置決めする位置決め部と、
前記第一保持シートおよび前記第二保持シートの少なくとも一方に設けられ、前記位置決め部によって位置決めされた前記表紙の前記タグ部を収容可能なタグ収容部と
を備えたことを特徴とする媒体保持シート。
【請求項２】
前記タグ収容部は、前記固定面の一部を覆うシール部材と、前記固定面のうちで前記シール部材によって覆われる被覆部とで構成された、前記タグ部を前記固定面に沿って挿入可能な袋状であることを特徴とする請求項１に記載の媒体保持シート。
【請求項３】
前記被覆部の少なくとも一部は、透光性を有することを特徴とする請求項２に記載の媒体保持シート。
【請求項４】
前記シール部材は、非透光性であることを特徴とする請求項２または３に記載の媒体保持シート。
【請求項５】
前記第一保持シートおよび前記第二保持シートの各々に設けられ、前記固定面とは反対面側に外部物体を固定する固定部を備え、
前記固定部は、前記固定面に対して直交する方向において、前記位置決め部によって位置決めされた前記表紙と重複しない位置に形成されたことを特徴とする請求項１から４のいずれかに記載の媒体保持シート。
【発明の詳細な説明】
【技術分野】
【０００１】
本発明は、複数枚の用紙が綴じられた冊子状の記録媒体を保持可能な媒体保持シートに関する。
【背景技術】
【０００２】
従来、複数枚の用紙が綴じられた冊子状の紙媒体に記入された情報を、電子化して保管および管理する技術が知られている（例えば、特許文献１参照）。特許文献１に開示の情報管理システムでは、人間が手帳をデジタイザのパッドの上に載せて、専用ペンで手書きのコンテンツを記載する。手書きのコンテンツは、デジタイザによって画像データとして読み込まれ、ＰＣのメモリに記憶される。
【先行技術文献】
【特許文献】
【０００３】
【特許文献１】特開２００２−１３２９４３号公報
【発明の概要】
【発明が解決しようとする課題】
【０００４】
特許文献１に開示の情報管理システムでは、例えば表紙の一部が外側に突出するタグ部を備えた手帳を使用する場合、コンテンツの記載中に手帳が動くと、タグ部が他の部材に接触して変形するおそれがあった。
【０００５】
本発明の目的は、用紙への記入中にタグ部が変形することを抑制できる媒体保持シートを提供することである。
【課題を解決するための手段】
【０００６】
本発明の一態様に係る媒体保持シートは、一対の表紙と、前記一対の表紙の間に重ね合わせて配置した複数枚の用紙とが、各々の縁部の一部で綴じられた冊子状の記録媒体であり、且つ、前記表紙の一部が外側に突出するタグ部を備えた前記記録媒体を保持可能な媒体保持シートであって、前記媒体保持シートは、前記一対の表紙のうちの第一表紙が面接触して固定される固定面を有する板状体である第一保持シート、および前記一対の表紙のうちの第二表紙が面接触して固定される固定面を有する板状体である第二保持シートであって、前記第一保持シートおよび前記第二保持シートの各々に設けられ、前記固定面に固定される前記表紙を位置決めする位置決め部と、前記第一保持シートおよび前記第二保持シートの少なくとも一方に設けられ、前記位置決め部によって位置決めされた前記表紙の前記タグ部を収容可能なタグ収容部とを備える。
【０００７】
上記媒体保持シートは、第一表紙が面接触して固定される第一保持シート、および第二表紙が固定される第二保持シートである。第一保持シートおよび前記第二保持シートの各々には、表紙を位置決めする位置決め部が設けられる。第一保持シートおよび第二保持シートの少なくとも一方には、位置決めされた表紙のタグ部を収容可能なタグ収容部が設けられる。これによれば、媒体保持シートに記録媒体が保持された状態では、表紙のタグ部がタグ収容部に収容されるため、用紙への記入中にタグ部が変形することを抑制できる。
【０００８】
前記タグ収容部は、前記固定面の一部を覆うシール部材と、前記固定面のうちで前記シール部材によって覆われる被覆部とで構成された、前記タグ部を前記固定面に沿って挿入可能な袋状であってもよい。この場合、製造者は媒体保持シートにタグ収容部を設けることが容易である。
【０００９】
前記被覆部の少なくとも一部は、透光性を有してもよい。この場合、タグ収容部に収容されたタグ部から、例えば読取装置が被覆部の少なくとも一部を介して情報を読み取ることができる。
【００１０】
前記シール部材は、非透光性であってもよい。この場合、タグ収容部に収容されたタグ部から情報を読み取る場合に、例えば読取装置が外光の影響を受けることを抑制できる。
【００１１】
前記第一保持シートおよび前記第二保持シートの各々に設けられ、前記固定面とは反対面側に外部物体を固定する固定部を備え、前記固定部は、前記固定面に対して直交する方向において、前記位置決め部によって位置決めされた前記表紙と重複しない位置に形成されてもよい。この場合、第一保持シートおよび第二保持シートに固定されている一対の表紙に影響を与えることなく、第一保持シートおよび第二保持シートを介して記録媒体を外部物体に連結できる。
【図面の簡単な説明】
【００１２】
【図１】手書入力システム１の全体構成図である。
【図２】開いた状態の読取装置２の斜め前方からみた斜視図である。
【図３】読取装置２の正面図である。
【図４】閉じた状態の読取装置２の斜め後方からみた斜視図である。
【図５】樹脂カバー７Ｌ，７Ｒの部品展開図である。
【図６】樹脂カバー７Ｌ，７Ｒの斜め後方からみた斜視図である。
【図７】後カバー８０Ｌ，８０Ｒを取り除いた、樹脂カバー７Ｌ，７Ｒの斜め後方からみた斜視図である。
【図８】読取装置２の電気的構成を示すブロック図である。
【図９】媒体保持シート５Ｌ，５Ｒの斜め前方からみた斜視図である。
【図１０】紙媒体１００を見開きした背面図である。
【図１１】紙媒体１００、媒体保持シート５Ｌ，５Ｒ、および読取装置２の斜め前方からみた斜視図である。
【図１２】図３のＩ−Ｉ線矢視方向断面図である。
【図１３】図１２に示す読取装置２が閉じられた状態を示す断面図である。
【図１４】フォーマット設定処理のフローチャートである。
【図１５】変形例の紙媒体１００および読取装置２の斜め前方からみた斜視図である。
【図１６】変形例における、紙媒体１００が取り付けられた読取装置２の部分拡大斜視図である。
【図１７】変形例の紙媒体１００を見開きした背面図である。
【発明を実施するための形態】
【００１３】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１４】
＜１．手書入力システム１の概要＞
図１〜図３を参照して、本実施形態に係る手書入力システム１の概要を説明する。以下の説明では、図１の上側、下側、左側、右側を、手書入力システム１の後側、前側、左側、右側と定義する。図２の上側、下側、左上側、右下側、右上側、左下側を、それぞれ、読取装置２、媒体保持シート５Ｌ，５Ｒ、および紙媒体１００の前側、後側、左側、右側、上側、下側と定義する。図３の上側、下側、左側、右側、手前側、奥側を、それぞれ、読取装置２、媒体保持シート５Ｌ，５Ｒ、および紙媒体１００の上側、下側、左側、右側、前側、後側と定義する。図１に示す読取装置２は、読取装置２が開閉される途中の状態を示す。図２および図３に示す読取装置２は、読取装置２が開かれた状態を示す。
【００１５】
図１に示すように、手書入力システム１は、読取装置２、電子ペン３、一対の媒体保持シート５Ｌ，５Ｒ、紙媒体１００などを含む。読取装置２は、左右方向に折り畳み（つまり、二つ折り）が可能で、且つ、ユーザが携行可能なタブレット型の手書き入力装置である。電子ペン３は、紙媒体１００にインクで情報（文字、記号、図形、数字等）を記入でき、且つ、記入される情報を読取装置２に入力可能な筆記具である。一対の媒体保持シート５Ｌ，５Ｒは、紙媒体１００を読取装置２に取り付けるための板状部材である。紙媒体１００は、電子ペン３によって情報が記入される冊子状の記録媒体である。
【００１６】
図２および図３に示すように、手書入力システム１では、紙媒体１００が媒体保持シート５Ｌ，５Ｒを介して、読取装置２の前面に固定される。ユーザが電子ペン３を用いて、読取装置２に固定された紙媒体１００に情報を記入する。読取装置２は、紙媒体１００に情報を記入する電子ペン３の軌跡を検出して、後述のストロークデータを取得する。本実施形態の読取装置２は、近傍に位置するＰＣ９と無線通信が可能である。読取装置２で取得されたストロークデータは、例えばユーザが入力した転送指示に応じて、ＰＣ９に転送される。ＰＣ９は、読取装置２から転送されたストロークデータに基づいて、紙媒体１００に記入された情報を電子化した画像ファイルを生成および表示可能である。
【００１７】
＜２．読取装置２の構造＞
図１〜図８を参照して、読取装置２の構造を説明する。図４に示す読取装置２は、読取装置２が閉じられた状態を示す。図４では、バッテリー着脱口４８を二点鎖線で示し、面ファスナー４９Ａ，４９Ｂを点鎖ハッチで示す。
【００１８】
図１〜図３に示すように、読取装置２では、可撓性の外装カバー４の内部に、一対の樹脂カバー７Ｌ，７Ｒが左右に並んで収容されている。以下では、理解を容易にするために、図２および図３に示すように読取装置２が折り曲げられていない状態（つまり、後述の外装カバー４の左側部分４Ｌと右側部分４Ｒとが左右方向に平行に並ぶ状態）を基準として、各構成の位置関係を説明する。
【００１９】
＜２−１．外装カバー４の詳細構造＞
外装カバー４の詳細構造を説明する。図１〜図４に示すように、外装カバー４は、上辺以外の三辺がシールされた、折り曲げられていない状態で左右方向に長い矩形状の袋体である。外装カバー４は、上方に開口する収容口４０を有する。収容口４０は、外装カバー４が折り曲げられていない状態で左右方向に延びる、前後方向の開口幅が小さいスリット状の開口部である。外装カバー４は、例えば合成皮革、ナイロン素材、又はポリエステル素材等によって作製されているため、外力に応じて変形可能な柔軟性を有する。
【００２０】
一対の樹脂カバー７Ｌ，７Ｒは、正面視で上下方向に長い矩形状であり、且つ前後方向の厚みが小さい箱状体である。樹脂カバー７Ｌの内部には、後述のセンサ基板１０Ｌおよびセンサ制御基板１１（図８参照）が収容される。樹脂カバー７Ｒの内部には、後述のセンサ基板１０Ｒ、センサ制御基板１２、およびメイン基板２０（図７参照）が収容される。
【００２１】
樹脂カバー７Ｌ，７Ｒは、収容口４０を介して外装カバー４の内部に、互いに離間して収容される。このとき、樹脂カバー７Ｌは、外装カバー４の左側部分４Ｌに配置される。樹脂カバー７Ｒは、外装カバー４の右側部分４Ｒに配置される。樹脂カバー７Ｌと樹脂カバー７Ｒとの間に形成される隙間は、外装カバー４の左右方向の中央部分４Ｍに位置する。したがって、外装カバー４では、中央部分４Ｍを中心にして、右側部分４Ｒおよび左側部分４Ｌを開閉可能である。
【００２２】
言い換えると、樹脂カバー７Ｌ，７Ｒの可動範囲は、次のように定義できる。樹脂カバー７Ｌ，７Ｒは、各々の対向する辺同士（つまり、樹脂カバー７Ｌの右辺および樹脂カバー７Ｒの左辺）が平行に延びるように、外装カバー４内に並んで配置される。樹脂カバー７Ｌ，７Ｒの間には、各々の対向する辺同士の間を延びる軸線Ｏ（具体的には、樹脂カバー７Ｌ，７Ｒの間を上下方向に延びる線）に沿って隙間が生じている。そのため、樹脂カバー７Ｌ，７Ｒは、軸線Ｏを中心に回転可能であり、且つ、軸線Ｏを挟んで互いに近接および離間する方向に移動可能である。このような樹脂カバー７Ｌ，７Ｒの可動範囲は、後述のセンサ基板１０Ｌ，１０Ｒの可動範囲と同義である。
【００２３】
左側部分４Ｌの前面４１Ｌと右側部分４Ｒの前面４１Ｒとは、外装カバー４が閉じられると左右方向に対向する。前面４１Ｌの左上部分および左下部分には、それぞれ、左右方向に長い貫通穴であるガイド穴４２Ｌ，４３Ｌが設けられている。つまり、ガイド穴４２Ｌ，４３Ｌは、前面４１Ｌにおいて閉鎖側端部（中央部分４Ｍ）から最も離間した開放側端部の上下両側に設けられている。前面４１Ｒの右上部分および右下部分には、左右方向に長い貫通穴であるガイド穴４２Ｒ，４３Ｒが設けられている。つまり、ガイド穴４２Ｒ，４３Ｒは、前面４１Ｒにおいて閉鎖側端部（中央部分４Ｍ）から最も離間した開放側端部の上下両側に設けられている。前面４１Ｒにおけるガイド穴４２Ｒの下側には、上下方向に長い矩形状の切り欠きであるセンサ窓４４が設けられている。
【００２４】
図４に示すように、右側部分４Ｒの後面４５Ｒには、開閉カバー４６が設けられている。後面４５Ｒの中央位置には、略正方形の切り欠きであるバッテリー着脱口４８が設けられている。開閉カバー４６は、上下方向に沿って長い矩形状であり、少なくともバッテリー着脱口４８を覆う。バッテリー着脱口４８は、後述のバッテリー装着部８２を外装カバー４の外部に露出させるための開口である。
【００２５】
開閉カバー４６の右辺部は、右側部分４Ｒの右辺部（つまり、開放側端部）と連結されている。開閉カバー４６の上辺部および下辺部は、それぞれ、後面４５Ｒに設けられた面ファスナー４９Ａ，４９Ｂに接着されている。開閉カバー４６の左辺部は、後面４５Ｒに接着されておらず、後面４５Ｒに対して隙間を形成可能である。したがって、開閉カバー４６と後面４５Ｒとで囲まれた空間は、開閉カバー４６の左辺部から物品を収容可能な収容ポケット４７として機能する。一方、開閉カバー４６を面ファスナー４９Ａ，４９Ｂから剥がすと、開閉カバー４６によって被覆されていたバッテリー着脱口４８が、外部に露出する（図１２参照）。
【００２６】
＜２−２．樹脂カバー７Ｌ，７Ｒの詳細構造＞
樹脂カバー７Ｌ，７Ｒの詳細構造を説明する。図５に示すように、樹脂カバー７Ｌは、前カバー７０Ｌおよび後カバー８０Ｌを備える。前カバー７０Ｌおよび後カバー８０Ｌは、上下方向に長い略矩形状の樹脂板である。後カバー８０Ｌの前面には、センサ基板１０Ｌなどの電子部品が配置される基板配置部８１Ｌが設けられている。基板配置部８１Ｌにセンサ基板１０Ｌなどの電子部品が配置された状態で、前カバー７０Ｌが後カバー８０Ｌに組み付けられる。
【００２７】
前カバー７０Ｌの前面には、二つの取付部７１Ｌ，７２Ｌが設けられている。取付部７１Ｌ，７２Ｌは、それぞれ、前カバー７０Ｌの左上隅部および左下隅部に設けられる。取付部７１Ｌ，７２Ｌは、媒体保持シート５Ｌを連結固定するための部材であり、本実施形態ではセンサ基板１０Ｌに対向する後述の表紙１１０Ｌ（図１参照）に向けて突出する鉤状体である。取付部７１Ｌ，７２Ｌは、表紙１１０Ｌの紙面略全体がセンサ基板１０Ｌと対向するように、表紙１１０Ｌを位置決めするが、詳細は後述する。
【００２８】
樹脂カバー７Ｒは、前カバー７０Ｒおよび後カバー８０Ｒを備える。前カバー７０Ｒおよび後カバー８０Ｒは、上下方向に長い略矩形状の樹脂板である。後カバー８０Ｒの前面には、センサ基板１０Ｒなどの電子部品が配置される基板配置部８１Ｒが設けられている。基板配置部８１Ｒにセンサ基板１０Ｒなどの電子部品が配置された状態で、前カバー７０Ｒが後カバー８０Ｒに組み付けられる。
【００２９】
前カバー７０Ｒの前面には、二つの取付部７１Ｒ，７２Ｒが設けられている。取付部７１Ｒ，７２Ｒは、それぞれ、前カバー７０Ｒの右上隅部および右下隅部に設けられる。取付部７１Ｒ，７２Ｒは、媒体保持シート５Ｒを連結固定するための部材であり、本実施形態ではセンサ基板１０Ｒに対向する後述の表紙１１０Ｒ（図１参照）に向けて突出する鉤状体である。取付部７１Ｒ，７２Ｒは、表紙１１０Ｒの紙面略全体がセンサ基板１０Ｒと対向するように、表紙１１０Ｒを位置決めするが、詳細は後述する。
【００３０】
さらに、前カバー７０Ｒには、読取窓７３およびスイッチ収容部７４が設けられている。読取窓７３は、取付部７１Ｒの下側に設けられ、後述のセンサ部２４の前方を覆う。読取窓７３は、上下方向に長い矩形状であり、センサ部２４から発せられた光が透過可能な透明板である。スイッチ収容部７４は、前カバー７０Ｒの右上部分に設けられ、メイン基板２０の各種スイッチ部品を収容する。
【００３１】
図５および図６に示すように、後カバー８０Ｒの中央部には、バッテリー装着部８２が設けられている。バッテリー装着部８２は、後カバー８０Ｒの後面から若干後方に突出している。バッテリー装着部８２は、後カバー８０Ｒの後面において開口する装着口８２Ａを有する。ユーザは後カバー８０Ｒの後方からカバー８２Ｃを着脱して、装着口８２Ａを開閉できる。さらにユーザは、カバー８２Ｃを取り外した装着口８２Ａに対して、読取装置２に電源を供給するバッテリー１９を着脱できる。
【００３２】
＜２−３．読取装置２の電気的構造＞
読取装置２の電気的構造を、各種電子部品の配置と併せて説明する。図７および図８に示すように、読取装置２は、センサ基板１０Ｌ，１０Ｒ、センサ制御基板１１，１２、およびメイン基板２０を備える。センサ基板１０Ｌ，１０Ｒは、Ｘ軸方向（具体的には、左右方向）およびＹ軸方向（具体的には、上下方向）の各々に細長いループコイルが多数配列された基板であって、近接する電子ペン３の位置を検出可能である。センサ基板１０Ｌ，１０Ｒは、それぞれ、樹脂カバー７Ｌ，７Ｒのほぼ全面に亘る大きさを有する、上下方向に長い矩形状である。本実施形態のセンサ基板１０Ｌ，１０Ｒは、それぞれ、Ａ５サイズの表紙１１０Ｌ，１１０Ｒの紙面略全体に対向可能な大きさを有する。
【００３３】
メイン基板２０は、ＣＰＵ２１、フラッシュＲＯＭ２２、無線通信部２３、センサ部２４などを備えている。フラッシュＲＯＭ２２および無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。さらに、紙媒体１００に情報を記入する電子ペン３の軌跡を示すストロークデータが、フラッシュＲＯＭ２２に記憶される。ストロークデータは、センサ基板１０Ｌ，１０Ｒによって経時的に検出された電子ペン３の複数の位置情報（例えば、座標情報）によって、紙媒体１００に情報を記入する電子ペン３の軌跡を特定する。
【００３４】
無線通信部２３は、外部の電子機器（例えば、図２に示すＰＣ９）と近距離無線通信を実行するためのコントローラである。センサ部２４は、取付部７１Ｒ，７２Ｒによって表紙１１０Ｒが位置決めされた状態で、表紙１１０Ｒに設けられた画像パターンから光学的に情報を読み取り可能である。本実施形態のセンサ部２４は、表紙１１０Ｒのタグ部１３０に設けられた後述の識別マーク１４０（図１０参照）を読み取り可能な複数の光センサである。図５に示す例では、センサ部２４は上下方向に並ぶ六つの光センサで構成されている。
【００３５】
図５に示すように、メイン基板２０は、センサ基板１０Ｌ，１０Ｒよりも面積が小さく、且つ左右方向に長い矩形状である。メイン基板２０の上端部分には、図示外の電源スイッチ、発光素子、無線通信部２３などの各種スイッチ部品が設けられている。さらに、メイン基板２０の右端部分には、センサ部２４が設けられている。メイン基板２０は、基板配置部８１Ｒの上側部分に配置される。センサ基板１０Ｒは、基板配置部８１Ｒにおいてメイン基板２０の前面側に配置される。
【００３６】
センサ基板１０Ｒおよびメイン基板２０が基板配置部８１Ｒに配置された場合、メイン基板２０の各種スイッチ部品およびセンサ部２４は、センサ基板１０Ｒで被覆されずに前方に露出する。後カバー８０Ｒに前カバー７０Ｒが組み付けられると、メイン基板２０の各種スイッチ部品は先述のスイッチ収容部７４に収容され、センサ部２４は読取窓７３の後方に配置される。
【００３７】
図７および図８に示すように、センサ基板１０Ｌの後面側には、ＡＳＩＣ１１Ａを備えたセンサ制御基板１１が設けられている。センサ基板１０Ｌは、センサ制御基板のＡＳＩＣ１１Ａに電気的に接続されている。センサ基板１０Ｒの後面側には、ＡＳＩＣ１２Ａを備えたセンサ制御基板１２が設けられている。センサ基板１０Ｒは、センサ制御基板のＡＳＩＣ１２Ａに電気的に接続されている。ＡＳＩＣ１１ＡとＡＳＩＣ１２Ａとは、フレキシブルケーブル１３によって接続されている。
【００３８】
ＣＰＵ２１はＡＳＩＣ１１Ａを制御して、電子ペン３による記入動作がセンサ基板１０Ｌの近傍で行われた場合に、記入動作に基づいてストロークデータを取得する。ＣＰＵ２１はＡＳＩＣ１２Ａを制御して、電子ペン３による記入動作がセンサ基板１０Ｒの近傍で行われた場合に、記入動作に基づいてストロークデータを取得する。これらのストロークデータが取得される原理は、別途後述する。ＡＳＩＣ１１Ａ，１２Ａのうち、マスター側のＡＳＩＣ１２ＡはＣＰＵ２１に直接接続され、スレーブ側のＡＳＩＣ１１ＡはＡＳＩＣ１２Ａを介してＣＰＵ２１に接続されている。
【００３９】
先述したように、読取装置２にはバッテリー装着部８２が設けられている。図７に示すように、バッテリー装着部８２には、メイン基板２０と接続するための接続端子８２Ｂが設けられている。バッテリー１９が装着口８２Ａに装着されると、バッテリー１９が接続端子８２Ｂを介してメイン基板２０に電気的に接続される。これにより、バッテリー１９からメイン基板２０に電源が供給される。
【００４０】
＜３．電子ペン３の構造＞
図２を参照して、電子ペン３の構造を説明する。電子ペン３は、芯体３１、コイル３２、可変容量コンデンサ３３、基板３４、コンデンサ３５、およびインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。
【００４１】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５および可変容量コンデンサ３３はコイル３２に並列に接続され、周知の共振（同調）回路を構成する。ユーザが電子ペン３を用いて紙媒体１００に記入すると、インクによって紙媒体１００に情報が形成され、且つ、記入される情報が公知の電磁誘導式で読取装置２に入力される。
【００４２】
＜４．媒体保持シート５Ｌ，５Ｒの構造＞
図９を参照して、媒体保持シート５Ｌ，５Ｒの構造を説明する。媒体保持シート５Ｌ，５Ｒは、紙媒体１００の用紙サイズ毎に用意されている。本実施形態の媒体保持シート５Ｌ，５Ｒは、Ａ５サイズの紙媒体１００専用である。
【００４３】
媒体保持シート５Ｌは、表紙１１０Ｌを読取装置２の前面４１Ｌに固定するための樹脂板である。本実施形態では、媒体保持シート５Ｌの前面５０Ｌは、Ａ５サイズの表紙１１０Ｌの略全体を貼り付け可能な大きさを有する。媒体保持シート５Ｌでは、表紙１１０Ｌが前面５０Ｌに面接触して固定可能である。
【００４４】
媒体保持シート５Ｌには、略Ｌの字型の板状体である位置決め部５１Ｌ，５２Ｌと、前後方向に貫通する二つの連結穴５３Ｌ，５４Ｌとが設けられている。連結穴５３Ｌは、媒体保持シート５Ｌの左上隅部に設けられる。連結穴５４Ｌは、媒体保持シート５Ｌの左下隅部に設けられる。連結穴５３Ｌ，５４Ｌは、正面視で略Ｈの字型に切り欠かれており、それぞれ先述の取付部７１Ｌ，７２Ｌが連結固定される。
【００４５】
位置決め部５１Ｌ，５２Ｌは、それぞれ、前面５０Ｌにおける連結穴５３Ｌ，５４Ｌの右側に設けられる。位置決め部５１Ｌは、表紙１１０Ｌの左上隅部を位置決めするための部材である。位置決め部５２Ｌは、表紙１１０Ｌの左下隅部を位置決めするための部材である。本実施形態では、位置決め部５１Ｌ，５２ＬがＡ５サイズの表紙１１０Ｌの左上隅部および左下隅部に対応する位置に設けられている。表紙１１０Ｌは、位置決め部５１Ｌ，５２Ｌよりも右側の領域に位置決めされた状態で、前面５０Ｌに貼り付けられる。
【００４６】
先述の連結穴５３Ｌ，５４Ｌは、位置決め部５１Ｌ，５２Ｌよりも左側の領域に設けられている。つまり、連結穴５３Ｌ，５４Ｌは、前面５０Ｌと直交する方向（本実施形態では前後方向）において、位置決め部５１Ｌ，５２Ｌによって位置決めされた表紙１１０Ｌと重複しない位置に形成されている。したがって、取付部７１Ｌ，７２Ｌが連結穴５３Ｌ，５４Ｌに連結固定された場合、取付部７１Ｌ，７２Ｌは前面５０Ｌに貼り付けられた表紙１１０Ｌと干渉しない。
【００４７】
媒体保持シート５Ｒは、表紙１１０Ｒを読取装置２の前面４１Ｒに固定するための樹脂板である。本実施形態では媒体保持シート５Ｒの前面５０Ｒは、Ａ５サイズの表紙１１０Ｒの略全体を貼り付け可能な大きさを有する。媒体保持シート５Ｒでは、表紙１１０Ｒが前面５０Ｒに面接触して固定可能である。
【００４８】
媒体保持シート５Ｒには、略Ｌの字型の板状体である位置決め部５１Ｒ，５２Ｒと、前後方向に貫通する二つの連結穴５３Ｒ，５４Ｒとが設けられている。連結穴５３Ｒは、媒体保持シート５Ｒの右上隅部に設けられる。連結穴５４Ｒは、媒体保持シート５Ｒの右下隅部に設けられる。連結穴５３Ｒ，５４Ｒは、正面視で略Ｈの字型に切り欠かれており、それぞれ先述の取付部７１Ｒ，７２Ｒが連結固定される。
【００４９】
位置決め部５１Ｒ，５２Ｒは、それぞれ、前面５０Ｒにおける連結穴５３Ｒ，５４Ｒの左側に設けられる。位置決め部５１Ｒは、表紙１１０Ｒの右上隅部を位置決めするための部材である。位置決め部５２Ｒは、表紙１１０Ｒの右下隅部を位置決めするための部材である。本実施形態では、位置決め部５１Ｒ，５２ＲがＡ５サイズの表紙１１０Ｒの右上隅部および右下隅部に対応する位置に設けられている。表紙１１０Ｒは、位置決め部５１Ｒ，５２Ｒよりも左側の領域に位置決めされた状態で、前面５０Ｒに貼り付けられる。
【００５０】
先述の連結穴５３Ｒ，５４Ｒは、位置決め部５１Ｒ，５２Ｒよりも右側の領域に設けられている。つまり、連結穴５３Ｒ，５４Ｒは、位置決め部５１Ｒ，５２Ｒによって位置決めされた表紙１１０Ｒと重複しない位置に形成されている。したがって、取付部７１Ｒ，７２Ｒが連結穴５３Ｒ，５４Ｒに連結固定された場合、取付部７１Ｒ，７２Ｒは前面５０Ｒに貼り付けられた表紙１１０Ｒと干渉しない。
【００５１】
さらに、媒体保持シート５Ｒには、センサ穴５８およびシール部材５６が設けられている。センサ穴５８は、連結穴５３Ｒの下側に設けられた、上下方向に並ぶ六つの正方形状の貫通穴を有する。センサ穴５８が有する六つの貫通穴は、それぞれセンサ部２４（図５参照）が有する六つの光センサに対応している。
【００５２】
シール部材５６は、前面５０Ｒの一部を覆う非透光性の板状体であり、正面視で少なくともセンサ穴５８を塞ぐ。シール部材５６は、上下方向に長い矩形状であり、且つ、左辺を除く三辺で前面５０Ｒに固定されている。したがって、シール部材５６の左辺部は、前面５０Ｒに対して隙間を形成可能である。なお、本実施形態では部品数低減のため、位置決め部５１Ｒとシール部材５６とが、連結された一部品の板部５７を構成する。
【００５３】
前面５０Ｒのうちでシール部材５６によって被覆される部分が、被覆部５９である。シール部材５６と被覆部５９とで囲まれる袋状の部位が、タグ収容部５５である（図２参照）。タグ収容部５５は、シール部材５６の左辺部から前面５０Ｒに沿って後述のタグ部１３０（図１０参照）を挿入可能である。被覆部５９の少なくとも一部は透光性を有するため、媒体保持シート５Ｒの後方からタグ収容部５５内に光照射が可能である。本実施形態では、被覆部５９に形成されているセンサ穴５８を介して、媒体保持シート５Ｒの後方からタグ収容部５５内に光照射が可能である。
【００５４】
＜５．紙媒体１００の構造＞
図１０を参照して、紙媒体１００の構造を説明する。紙媒体１００は、表紙１１０Ｌと表紙１１０Ｒとの間に複数の用紙１２０が綴じられた、左右方向に見開き可能な冊子状である。つまり、紙媒体１００では、一対の表紙１１０Ｌ，１１０Ｒと複数の用紙１２０とが、各々の縁部の一部で綴じられている。一例として、本実施形態の紙媒体１００はＡ５サイズのノートであり、用紙１２０は例えば罫線が２０本引かれた文書用フォーマットを有する。
【００５５】
紙媒体１００は、表紙１１０Ｒの一部が外側に突出するタグ部１３０を有する。本実施形態のタグ部１３０は、表紙１１０Ｒの右上部分から右方向に突出する。タグ部１３０は、上下方向に長い矩形状であり、各種情報（例えば、タイトル、索引、巻数など）を記入可能である。本実施形態では、用紙１２０のフォーマットを示す識別マーク１４０が、タグ部１３０の後面に印刷されている。識別マーク１４０は、上下方向にならぶ六つの識別領域１４１〜１４６を有する。六つの識別領域１４１〜１４６は、センサ穴５８（図９参照）が有する六つの貫通穴にそれぞれ対応している。各識別領域１４１〜１４６は、いずれも矩形状であり、未着色（白）または黒で色分けされている。六つの識別領域１４１〜１４６の組合せパターン（つまり、識別マーク１４０のバーパターン）によって、用紙１２０のフォーマットに対応するコード情報が示される。
【００５６】
＜６．手書入力システム１の使用態様＞
図４、図１１〜図１３を参照して、ユーザが手書入力システム１を使用する態様を説明する。図１１では、理解を容易にするために、外装カバー４を省略している。図１２では、開放された開閉カバー４６を、二点鎖線で示している。
【００５７】
図１１に示すように、まずユーザは、情報を記入する紙媒体１００に、媒体保持シート５Ｌ，５Ｒを取り付ける。詳細には、ユーザは媒体保持シート５Ｌの前面５０Ｌ上で、表紙１１０Ｌの開放側上端部（本実施形態では左上隅部）を位置決め部５１Ｌに位置決めし、且つ、表紙１１０Ｌの開放側下端部（本実施形態では左下隅部）を位置決め部５２Ｌに位置決めする。このように表紙１１０Ｌが位置決めされた状態で、ユーザは表紙１１０Ｌを両面テープ１６０Ｌ（図１２参照）で前面５０Ｌに貼り付ける。これにより、表紙１１０Ｌが媒体保持シート５Ｌに保持される。
【００５８】
同様に、ユーザは媒体保持シート５Ｒの前面５０Ｒ上で、表紙１１０Ｒの開放側上端部（本実施形態では右上隅部）を位置決め部５１Ｒに位置決めし、且つ、表紙１１０Ｒの開放側下端部（本実施形態では右下隅部）を位置決め部５２Ｒに位置決めする。このとき、ユーザはタグ部１３０を前面５０Ｒに沿って右方向に移動させ、タグ部１３０をタグ収容部５５内に挿入する。このように表紙１１０Ｒが位置決めされた状態で、ユーザは表紙１１０Ｒを両面テープ１６０Ｒ（図１２参照）で前面５０Ｒに貼り付ける。これにより、表紙１１０Ｒが媒体保持シート５Ｒに保持される。
【００５９】
次にユーザは、媒体保持シート５Ｌ，５Ｒを読取装置２に取り付ける。詳細には、ユーザは媒体保持シート５Ｌ，５Ｒを、それぞれ、読取装置２の前面４１Ｌ，４１Ｒに対向して配置する。ユーザは、前面４１Ｌから前方に突出する取付部７１Ｌ，７２Ｌを、それぞれ連結穴５３Ｌ，５４Ｌに挿入する。これにより、取付部７１Ｌ，７２Ｌがそれぞれ連結穴５３Ｌ，５４Ｌに係止されて、媒体保持シート５Ｌが樹脂カバー７Ｌに連結される。同様に、ユーザは前面４１Ｒから前方に突出する取付部７１Ｒ，７２Ｒを、それぞれ連結穴５３Ｒ，５４Ｒに挿入する。これにより、取付部７１Ｒ，７２Ｒがそれぞれ連結穴５３Ｒ，５４Ｒに係止されて、媒体保持シート５Ｒが樹脂カバー７Ｒに連結される。
【００６０】
以上の手順によって、紙媒体１００が媒体保持シート５Ｌ，５Ｒを介して読取装置２に取り付けられる。図１２に示すように、読取装置２が開かれた状態では、表紙１１０Ｌの紙面略全体がセンサ基板１０Ｌと平行に対向するように、表紙１１０Ｌが前面４１Ｌで位置決めされている。表紙１１０Ｌと重なっている用紙１２０も、紙面略全体がセンサ基板１０Ｌと平行に対向している。この状態では、表紙１１０Ｌと重なっている用紙１２０に情報を記入する電子ペン３を、センサ基板１０Ｌが正確に検出できる。
【００６１】
同様に、表紙１１０Ｒの紙面略全体がセンサ基板１０Ｒと平行に対向するように、表紙１１０Ｒが前面４１Ｒで位置決めされている。表紙１１０Ｒと重なっている用紙１２０も、紙面略全体がセンサ基板１０Ｒと平行に対向している。この状態では、表紙１１０Ｒと重なっている用紙１２０に情報を記入する電子ペン３を、センサ基板１０Ｒが正確に検出できる。
【００６２】
例えば、読取装置２に傾斜または振動が生じると、紙媒体１００を前後左右方向に移動させる外力が付与されることがある。しかしながら、外装カバー４のガイド穴４２Ｌ，４３Ｌによって、取付部７１Ｌ，７２Ｌの前後左右方向の移動範囲が規制されている。同様に、外装カバー４のガイド穴４２Ｒ，４３Ｒによって、取付部７１Ｒ，７２Ｒの前後左右方向の移動範囲が規制されている。そのため、紙媒体１００を前後左右方向に移動させる外力が付与されても、取付部７１Ｌ，７２Ｌが媒体保持シート５Ｌを介して表紙１１０Ｌの移動範囲を規制し、且つ、取付部７１Ｒ，７２Ｒが媒体保持シート５Ｒを介して表紙１１０Ｒの移動範囲を規制する。
【００６３】
つまり、読取装置２に取り付けられた紙媒体１００は、外力によって大幅に移動することが抑制されている。紙媒体１００とセンサ基板１０Ｌ，１０Ｒとの位置関係は変化しにくいため、紙媒体１００がセンサ基板１０Ｌ，１０Ｒと対向した状態が維持される。つまり、用紙１２０に情報を記入する電子ペン３を、センサ基板１０Ｌ，１０Ｒで正確に検出される状態が維持される。
【００６４】
さらに、紙媒体１００の挙動に連動して、取付部７１Ｌ，７２Ｌがガイド穴４２Ｌ，４３Ｌで規制される範囲内で移動することがある。この場合、取付部７１Ｌ，７２Ｌを介して、紙媒体１００と同じ移動方向および移動量で、樹脂カバー７Ｌ（つまり、センサ基板１０Ｌ）が前後左右方向に移動する。同様に、紙媒体１００の挙動に連動して、取付部７１Ｒ，７２Ｒを介して、紙媒体１００と同じ移動方向および移動量で、樹脂カバー７Ｒ（つまり、センサ基板１０Ｒ）が前後左右方向に移動する。したがって、紙媒体１００とセンサ基板１０Ｌ，１０Ｒとの位置関係は変化しにくいため、センサ基板１０Ｌ，１０Ｒで正確に検出される状態が維持される。
【００６５】
図１２に示す読取装置２が開かれた状態では、面一に連続する前面４１Ｌ，４１Ｒに対向して紙媒体１００も開かれた状態となる。このとき、取付部７１Ｌ，７２Ｌは、それぞれガイド穴４２Ｌ，４３Ｌ内で閉鎖側端部（本実施形態では、ガイド穴４２Ｌ，４３Ｌの右端位置）まで移動している。取付部７１Ｒ，７２Ｒは、それぞれガイド穴４２Ｒ，４３Ｒ内で閉鎖側端部（本実施形態では、ガイド穴４２Ｒ，４３Ｒの左端位置）まで移動している。つまり、外装カバー４の内部では、樹脂カバー７Ｌと樹脂カバー７Ｒとの離間距離が最も小さくなる。
【００６６】
一方、読取装置２が閉じられるのに伴って、紙媒体１００も閉じられる。このとき、外装カバー４の内部では、樹脂カバー７Ｌが表紙１１０Ｌの挙動に追従して、軸線Ｏ（図１参照）を中心に前方に回転する。同時に、樹脂カバー７Ｒが表紙１１０Ｒの挙動に追従して、軸線Ｏを中心に前方に回転する。このとき、センサ基板１０Ｌと媒体保持シート５Ｌの平行状態を維持しつつ、取付部７１Ｌ，７２Ｌはそれぞれガイド穴４２Ｌ，４３Ｌ内で開放側（本実施形態では左側）に移動する。同時に、センサ基板１０Ｒと媒体保持シート５Ｒの平行状態を維持しつつ、取付部７１Ｒ，７２Ｒはそれぞれガイド穴４２Ｒ，４３Ｒ内で開放側（本実施形態では右側）に移動する。つまり、樹脂カバー７Ｌ，７Ｒの回転に伴って、樹脂カバー７Ｌと樹脂カバー７Ｒとの離間距離が徐々に大きくなる。
【００６７】
図１３に示すように読取装置２が閉じられた状態では、対向する前面４１Ｌ，４１Ｒの間で、媒体保持シート５Ｌ，５Ｒが取り付けられた紙媒体１００も閉じられる。このとき、取付部７１Ｌ，７２Ｌは、それぞれガイド穴４２Ｌ，４３Ｌ内で開放側端部（本実施形態では、ガイド穴４２Ｌ，４３Ｌの左端位置）まで移動している。取付部７１Ｒ，７２Ｒは、それぞれガイド穴４２Ｒ，４３Ｒ内で開放側端部（本実施形態では、ガイド穴４２Ｒ，４３Ｒの右端位置）まで移動している。つまり、外装カバー４の内部では、樹脂カバー７Ｌと樹脂カバー７Ｒとの離間距離が最も大きくなる。
【００６８】
このように、紙媒体１００の開閉に連動して、センサ基板１０Ｌ，１０Ｒは紙媒体１００と平行に対向した状態を維持したまま、軸線Ｏを中心に前方に回転する。このとき、取付部７１Ｌ，７２Ｌがそれぞれガイド穴４２Ｌ，４３Ｌを移動し、且つ取付部７１Ｒ，７２Ｒがそれぞれガイド穴４２Ｒ，４３Ｒを移動することで、樹脂カバー７Ｌ，７Ｒの離間距離の変化が吸収される。したがって、紙媒体１００とセンサ基板１０Ｌ，１０Ｒとの位置関係は変化しにくいため、センサ基板１０Ｌ，１０Ｒで正確に検出される状態が維持される。
【００６９】
さらに、上記のように表紙１１０Ｒが媒体保持シート５Ｒに正確に位置決めされることにより、タグ収容部５５内に収容されるタグ部１３０とセンサ部２４との位置関係も変化しにくい。そのため、読取装置２に傾斜または振動が生じたり、読取装置２が開閉されたりしても、センサ部２４でタグ部１３０から識別マーク１４０を正確に読み取れる状態が維持される。
【００７０】
図４および図１３に示すように、例えばユーザが読取装置２を折り畳んで携行する場合、開閉カバー４６が面ファスナー４９Ａ，４９Ｂに接着されているため、収容ポケット４７に物品（例えば、書籍や小物）を収容することができる。一方、図１２に示すように、ユーザが読取装置２のバッテリー１９を交換する場合、開閉カバー４６を面ファスナー４９Ａ，４９Ｂから剥がす。これにより、バッテリー着脱口４８を介して、バッテリー装着部８２が外部に露出する。ユーザはカバー８２Ｃを取り外すことで、装着口８２Ａに装着するバッテリー１９を交換できる。
【００７１】
本実施形態では、樹脂カバー７Ｒはバッテリー装着部８２が後方に突出しているため、樹脂カバー７Ｌよりも前後方向の厚みが大きい。一方、外装カバー４の内部では、バッテリー装着部８２がバッテリー着脱口４８の内側に配置される。そのため、ユーザが読取装置２の外観を見た場合、樹脂カバー７Ｒが樹脂カバー７Ｌよりも前後方向の厚みが大きいことが分かりにくい。さらに、読取装置２全体の前後方向の厚みが、バッテリー装着部８２によって大きくなってしまうことを、バッテリー装着部８２をバッテリー着脱口４８の内側に収容することで抑制できる。
【００７２】
＜７．読取装置２のデータ取得原理＞
上述のように紙媒体１００が読取装置２に装着された状態で、ユーザは電子ペン３を用いて用紙１２０に情報を記入する。用紙１２０に対向するセンサ基板１０Ｌ，１０Ｒのいずれかによって、用紙１２０に情報を記入する電子ペン３の位置情報が検出される。読取装置２は、検出される電子ペン３の位置情報に基づいて、先述のストロークデータを取得する。
【００７３】
図８を参照して、読取装置２によってストロークデータが取得される原理を、概略的に説明する。ＣＰＵ２１はＡＳＩＣ１１Ａ，１２Ａを制御して、センサ基板１０Ｌ，１０Ｒの各々のループコイルに、一本ずつ特定の周波数の電流（励磁用送信電流）を流す。これにより、センサ基板１０Ｌ，１０Ｒの各々のループコイルから磁界が発生する。この状態で、例えばユーザが電子ペン３を用いて読取装置２に固定された紙媒体１００の用紙１２０に情報を記入すると、電子ペン３がセンサ基板１０Ｌ，１０Ｒに近接する。そのため、電子ペン３の共振回路は電磁誘導によって共振し、誘導磁界を生じる。
【００７４】
次に、ＣＰＵ２１はＡＳＩＣ１１Ａ，１２Ａを制御して、センサ基板１０Ｌ，１０Ｒの各々のループコイルからの磁界の発生を停止させる。さらに、電子ペン３の共振回路から発せられる誘導磁界を、センサ基板１０Ｌ，１０Ｒの各々のループコイルで受信する。ＣＰＵ２１はＡＳＩＣ１１Ａ，１２Ａを制御して、センサ基板１０Ｌ，１０Ｒの各々のループコイルに流れる信号電流（受信電流）を検出させる。ＡＳＩＣ１１Ａ，１２Ａがこの動作を全てのループコイルについて一本ずつに実行することで、受信電流に基づいて電子ペン３の位置が検出される。
【００７５】
さらに、電子ペン３を用いて用紙１２０に情報が記入されている状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、用紙１２０に情報が記入されているか否かを判断できる。
【００７６】
ＣＰＵ２１は、用紙１２０に情報が記入されていると判断した場合、電子ペン３の軌跡を示すストロークデータを取得する。つまり、ＣＰＵ２１は、センサ基板１０Ｌによって検出された電子ペン３の位置に基づいて、読取装置２に位置決めされた表紙１１０Ｌと重なり合う用紙１２０に記入されたストロークデータが取得する。ＣＰＵ２１は、センサ基板１０Ｒによって検出された電子ペン３の位置に基づいて、読取装置２に位置決めされた表紙１１０Ｒと重なり合う用紙１２０に記入されたストロークデータを取得する。取得されたストロークデータは、フラッシュＲＯＭ２２に保存される。
【００７７】
＜８．読取装置２のフォーマット設定処理＞
図１４を参照して、本実施形態の手書入力システム１において、読取装置２で実行されるメイン処理を説明する。読取装置２の電源がＯＮされると、ＣＰＵ２１はフラッシュＲＯＭ２２に記憶されているプログラムに基づいて、図１４に示すフォーマット設定処理を実行する。
【００７８】
図１４に示すように、読取装置２のフォーマット設定処理では、まず識別マーク１４０の読み取りが実行される（Ｓ１）。先述したように、紙媒体１００が読取装置２に装着されている場合、タグ部１３０がタグ収容部５５に挿入されている。ステップＳ１では、センサ部２４が有する六つの光センサの各々から前方に計測光が発せられる。六本の計測光は読取窓７３を介して、媒体保持シート５Ｒの被覆部５９に後方から照射される。このとき、六本の計測光は、センサ穴５８の対応する貫通穴を経由して、タグ部１３０に印刷された識別マーク１４０に照射される。識別マーク１４０で反射された六本の反射光が、センサ部２４によって検出される。センサ部２４は、検出された各反射光に基づいて、識別マーク１４０のバーパターンを読み取る。
【００７９】
次いで、コード情報を検出できたか否かが判断される（Ｓ３）。例えばタグ部１３０がタグ収容部５５に挿入されていない場合、センサ部２４によって適正にバーパターンが読み取れない。このように適正にバーパターンが読み取れなかった場合、コード情報を検出できなかったと判断される（Ｓ３：ＮＯ）。この場合、汎用ノート（例えば、Ａ５サイズの白紙ノート）のフォーマット情報が、読取装置２に装着されている紙媒体１００が有する用紙１２０のフォーマットとして、フラッシュＲＯＭ２２に設定される（Ｓ５）。
【００８０】
一方、センサ部２４によって適正にバーパターンが読み取れた場合、コード情報を検出できたと判断される（Ｓ３：ＹＥＳ）。この場合、検出したコード情報に対応するフォーマット情報が、読取装置２に装着されている紙媒体１００が有する用紙１２０のフォーマットとして、フラッシュＲＯＭ２２に設定される（Ｓ７）。例えば、図１０に示す識別マーク１４０の例では、識別領域１４１、１４４、１４６が黒、識別領域１４２、１４３、１４５が白となるバーパターンが読み取られる。このバーパターンが示すコード情報に基づいて、例えば罫線が２０本引かれたＡ５サイズの文書用フォーマットが、フラッシュＲＯＭ２２に設定される。ステップＳ５またはステップＳ７の実行後、フォーマット設定処理（図１４参照）が終了される。
【００８１】
読取装置２では、フォーマット設定処理（図１４参照）の終了後、先述したように電子ペン３の軌跡を示すストロークデータが、フラッシュＲＯＭ２２に経時的に保存される。読取装置２でストロークデータの取得が終了したのち、ユーザの転送指示に応じて、フラッシュＲＯＭ２２に保存されたストロークデータがＰＣ９（図２参照）に転送される。このとき、ステップＳ５またはステップＳ７で設定されたフォーマット情報も、ＰＣ９に転送される。
【００８２】
ＰＣ９では、読取装置２から転送されたストロークデータに基づいて、用紙１２０に記入された情報を再現可能な画像ファイルが生成される。さらに、読取装置２からステップＳ７で設定されたフォーマット情報が転送された場合、読取装置２に装着されている紙媒体１００が有する用紙１２０のフォーマットと、そのフォーマット上に記入された情報とを忠実に再現できる。なお、読取装置２からステップＳ５で設定されたフォーマット情報が転送された場合、例えば白紙ノートに記入された情報を再現できる。
【００８３】
＜９．本実施形態の作用効果の例示＞
一対の媒体保持シート５Ｌ，５Ｒは、表紙１１０Ｌが面接触して固定される媒体保持シート５Ｌ、および表紙１１０Ｒが固定される媒体保持シート５Ｒである。媒体保持シート５Ｌには、表紙１１０Ｌを位置決めする位置決め部５１Ｌ，５２Ｌが設けられる。媒体保持シート５Ｒには、表紙１１０Ｒを位置決めする位置決め部５１Ｒ，５２Ｒが設けられる。媒体保持シート５Ｒには、位置決めされた表紙１１０Ｒのタグ部１３０を収容可能なタグ収容部５５が設けられる。
【００８４】
これによれば、媒体保持シート５Ｌ，５Ｒに紙媒体１００が保持された状態では、表紙１１０Ｒのタグ部１３０がタグ収容部５５に収容される。例えばユーザが電子ペン３を用いて用紙１２０に情報を記入中であるとき、電子ペン３がタグ部１３０に接触することが、タグ収容部５５によって防止される。そのため、用紙１２０への記入中に、タグ部１３０が変形することを抑制できる。
【００８５】
タグ収容部５５は、シール部材５６と被覆部５９とで構成された、タグ部１３０を媒体保持シート５Ｒの前面５０Ｒに沿って挿入可能な袋状である。タグ収容部５５は簡易な袋状の構造であるため、製造者は媒体保持シート５Ｒにタグ収容部５５を設けることが容易である。
【００８６】
被覆部５９の少なくとも一部は、センサ穴５８が設けられているため、透光性を有する。タグ収容部５５に収容されたタグ部１３０から、センサ部２４がセンサ穴５８を介して識別マーク１４０を読み取ることができる。
【００８７】
シール部材５６は、非透光性である。センサ部２４がタグ収容部５５に収容されたタグ部１３０から識別マーク１４０を読み取る場合に、センサ部２４が外光の影響を受けることを抑制できる。
【００８８】
媒体保持シート５Ｌには、前面５０Ｌとは反対面側に樹脂カバー７Ｌを固定する連結穴５３Ｌ，５４Ｌが設けられる。連結穴５３Ｌ，５４Ｌは、前面５０Ｌに対して直交する前後方向において、位置決め部５１Ｌ，５２Ｌによって位置決めされた表紙１１０Ｌと重複しない位置に形成される。同様に、媒体保持シート５Ｒには、前面５０Ｒとは反対面側に樹脂カバー７Ｒを固定する連結穴５３Ｒ，５４Ｒが設けられる。連結穴５３Ｒ，５４Ｒは、前面５０Ｒに対して直交する前後方向において、位置決め部５１Ｒ，５２Ｒによって位置決めされた表紙１１０Ｒと重複しない位置に形成される。したがって、媒体保持シート５Ｌ，５Ｒに固定されている一対の表紙１１０Ｌ，１１０Ｒに影響を与えることなく、媒体保持シート５Ｌ，５Ｒを介して紙媒体１００を樹脂カバー７Ｌ，７Ｒに連結できる。
【００８９】
上記実施形態において、紙媒体１００が本発明の「記録媒体」に相当する。媒体保持シート５Ｌが、本発明の「第一保持シート」に相当する。媒体保持シート５Ｒが、本発明の「第二保持シート」に相当する。連結穴５３Ｌ，５４Ｌおよび連結穴５３Ｒ，５４Ｒが、それぞれ、本発明の「固定部」に相当する。
【００９０】
＜１０．変形例の例示＞
（１）本発明は上記実施形態に限定されるものではなく、発明の要旨を変更しない範囲での変更が可能である。例えば、紙媒体１００は、媒体保持シート５Ｌ，５Ｒを用いることなく、読取装置２に直接取り付けられてもよい。この変形例を、図１５〜図１７を参照して説明する。本変形例の読取装置２は、外装カバー４を備えていない。ユーザは樹脂カバー７Ｌ，７Ｒに直接触れて、読取装置２を開閉可能である。
【００９１】
図１５および図１７に示すように、変形例の紙媒体１００は、表紙１１０Ｌ，１１０Ｒが用紙１２０よりもページ幅（本実施形態では、左右方向の長さ）が大きい。表紙１１０Ｌのうちで、表紙１１０Ｌに重なる用紙１２０よりも開放側（本実施形態では左側）に延びる部分を、延長部１５０Ｌという。表紙１１０Ｒのうちで、表紙１１０Ｒに重なる用紙１２０よりも開放側（本実施形態では右側）に延びる部分を、延長部１５０Ｒという。
【００９２】
延長部１５０Ｌの開放側の上隅部および下隅部に、それぞれ、ページ幅方向に長い貫通穴である連結穴１５１Ｌ，１５２Ｌが設けられている。延長部１５０Ｒの開放側の上隅部および下隅部に、それぞれ、ページ幅方向に長い貫通穴である連結穴１５１Ｒ，１５２Ｒが設けられている。さらに、上記実施形態と同様の識別マーク１４０が、延長部１５０Ｒにおける連結穴１５１Ｒの下側に設けられている。
【００９３】
一方、変形例の読取装置２では、取付部７１Ｌ，７２Ｌ，７１Ｒ，７２Ｒが、上記実施形態と異なる。取付部７１Ｌは、挿入ピン１７１Ｌおよび挟持板１７３Ｌを備える。挿入ピン１７１Ｌは、前カバー７０Ｌの開放側（本実施形態では左側）の上隅部から前方に突出するピンである。挟持板１７３Ｌは、挿入ピン１７１Ｌに対して開放側に隣接して設けられた、上方に突出する板状部材である。同様に、取付部７２Ｌは、前カバー７０Ｌの開放側の下隅部から突出する挿入ピン１７２Ｌと、挿入ピン１７２Ｌに対して開放側に隣接する挟持板１７４Ｌを備える。
【００９４】
取付部７１Ｒは、前カバー７０Ｒの開放側（本実施形態では右側）の上隅部から突出する挿入ピン１７１Ｒと、挿入ピン１７１Ｒに対して開放側に隣接する挟持板１７３Ｒを備える。取付部７２Ｒは、前カバー７０Ｒの開放側の下隅部から突出する挿入ピン１７２Ｒと、挿入ピン１７２Ｒに対して開放側に隣接する挟持板１７４Ｒを備える。
【００９５】
図１５および図１６に示すように、ユーザが紙媒体１００を読取装置２に取り付ける場合、連結穴１５１Ｌ，１５２Ｌにそれぞれ挿入ピン１７１Ｌ，１７２Ｌを挿入する。これにより、延長部１５０Ｌのうちで連結穴１５１Ｌよりも開放側の部分が、挿入ピン１７１Ｌおよび挟持板１７３Ｌによって挟持される。延長部１５０Ｌのうちで連結穴１５２Ｌよりも開放側の部分が、挿入ピン１７２Ｌおよび挟持板１７４Ｌによって挟持される。したがって、表紙１１０Ｌが、樹脂カバー７Ｌに連結されて、センサ基板１０Ｌに対して位置決めされる。
【００９６】
さらにユーザは、連結穴１５１Ｒ，１５２Ｒにそれぞれ挿入ピン１７１Ｒ，１７２Ｒを挿入する。これにより、延長部１５０Ｒのうちで連結穴１５１Ｒよりも開放側の部分が、挿入ピン１７１Ｒおよび挟持板１７３Ｒによって挟持される。延長部１５０Ｒのうちで連結穴１５２Ｒよりも開放側の部分が、挿入ピン１７２Ｒおよび挟持板１７４Ｒによって挟持される。したがって、表紙１１０Ｒが樹脂カバー７Ｒに固定されて、センサ基板１０Ｒに対して位置決めされる。
【００９７】
本変形例では、センサ部２４が読取窓７３を介して、延長部１５０Ｒに設けられた識別マーク１４０に計測光を照射する。これにより、ＣＰＵ２１は、上記実施形態と同様に、識別マーク１４０からコード情報を読み取って、用紙１２０のフォーマット情報を設定できる。
【００９８】
（２）紙媒体１００または媒体保持シート５Ｌ，５Ｒを読取装置２に取り付ける手法は、上記実施形態および変形例に限定されない。以下では、媒体保持シート５Ｌを読取装置２に取り付ける変形例を例示するが、紙媒体１００および媒体保持シート５Ｒを読取装置２に取り付ける場合も、下記と同様に変形可能であることは言うまでもない。
【００９９】
例えば、読取装置２の取付部７１Ｌ，７２Ｌは、雌型ホックでもよい。この場合、媒体保持シート５Ｌの連結穴５３Ｌ，５４Ｌに代えて、それぞれ雄型ホックを設ける。ユーザは媒体保持シート５Ｌの雄型ホックを、雌型ホックである取付部７１Ｌ，７２Ｌに嵌めることで、媒体保持シート５Ｌを樹脂カバー７Ｌに固定できる。
【０１００】
読取装置２の取付部７１Ｌ，７２Ｌは、雌型のネジ穴でもよい。この場合、ユーザは媒体保持シート５Ｌの連結穴５３Ｌ，５４Ｌを介して、取付部７１Ｌ，７２Ｌに図示外のネジを螺合することで、媒体保持シート５Ｌを樹脂カバー７Ｌに固定できる。
【０１０１】
読取装置２の取付部７１Ｌ，７２Ｌは、先端に回転体が設けられた回転止め具でもよい。この場合、ユーザは連結穴５３Ｌ，５４Ｌに取付部７１Ｌ，７２Ｌを挿入し、さらに取付部７１Ｌ，７２Ｌの回転体を回転させる。これにより、連結穴５３Ｌ，５４Ｌから取付部７１Ｌ，７２Ｌが抜けることが抑制されて、媒体保持シート５Ｌを樹脂カバー７Ｌに固定できる。
【０１０２】
読取装置２の取付部７１Ｌ，７２Ｌは、可動体によってスライド固定する機構でもよい。例えば、ユーザは連結穴５３Ｌ，５４Ｌに取付部７１Ｌ，７２Ｌを挿入し、さらに取付部７１Ｌ，７２Ｌの可動体を移動させる。これにより、連結穴５３Ｌ，５４Ｌから取付部７１Ｌ，７２Ｌが抜けることが抑制されて、媒体保持シート５Ｌを樹脂カバー７Ｌに固定できる。
【０１０３】
（３）読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に情報を記入する動作が行われた場合、タッチパネルを介して筆圧が加えられた位置を検出してもよい。
【０１０４】
（４）被覆部５９の少なくとも一部は、センサ部２４によって光学的に計測可能な透光性であればよい。例えば、上記実施形態のセンサ穴５８に代えて、被覆部５９の少なくとも一部は透明であってもよい。
【０１０５】
（５）紙媒体１００のサイズ、フォーマット、材質などは、上記実施形態に限定されない。媒体保持シート５Ｌ，５Ｒは、少なくとも紙媒体１００を取り付け可能なサイズであればよい。読取装置２は、紙媒体１００に貼り付けられた媒体保持シート５Ｌ，５Ｒを取り付け可能なサイズ、または、少なくとも紙媒体１００を取り付け可能なサイズであればよい。
【符号の説明】
【０１０６】
５Ｌ    媒体保持シート
５Ｒ    媒体保持シート
５１Ｌ，５２Ｌ    位置決め部
５１Ｒ，５２Ｒ    位置決め部
５３Ｌ，５４Ｌ    連結穴
５３Ｒ，５４Ｒ    連結穴
５５    タグ収容部
５６    シール部材
５８    センサ穴
５９    被覆部
１００    紙媒体
１１０Ｌ    表紙
１１０Ｒ    表紙
１２０    用紙
１３０    タグ部
【図１】
2014113818.tif 000003
【図２】
2014113818.tif 000004
【図３】
2014113818.tif 000005
【図４】
2014113818.tif 000006
【図５】
2014113818.tif 000007
【図６】
2014113818.tif 000008
【図７】
2014113818.tif 000009
【図８】
2014113818.tif 000010
【図９】
2014113818.tif 000011
【図１０】
2014113818.tif 000012
【図１１】
2014113818.tif 000013
【図１２】
2014113818.tif 000014
【図１３】
2014113818.tif 000015
【図１４】
2014113818.tif 000016
【図１５】
2014113818.tif 000017
【図１６】
2014113818.tif 000018
【図１７】
2014113818.tif 000019